(57)【要約】  本発明は、危険なUV、青色光および赤外線に影響を及ぼし、および選別するためのフィルタを含む、最大の目保護のための装置、特に眼鏡、サングラス、窓ガラスであって、前記フィルタがUVC、UVB、UVA、青色光および赤外線の透過を選別し、および影響を及ぼし、前記フィルタは、目保護のための独特の組み合わせを有する装置に関する。紫外線、青色光および赤外線の選別、最大の可能な目保護、並びに交通に使用するために適していることなどの前記要素の全ての組み合わせが、前記発明の中心である。本発明に関する更なる技術を付加することも、または除去することもできる。目を軽減する、センサー、分極フィルタ、ソーラーエネルギーによるエネルギー供給、UV、青色光およびIR測定、LCD技術、並びに生体工学技術による鼻および耳領域の機械的装置を付加することができる。【選択図】      図5
2010522356.tif 000002
【特許請求の範囲】
【請求項１】
特に、眼鏡、サングラスまたはペインとして眼保護を軽減し、および予防するための少なくとも１つのフィルタをもつ装置であって、該装置は、部分的または完全な側方保護およびペインを含み、ペインは、それらの組み合わせで定義される特定の限界値によって特徴づけられる、UV、青色光および赤外線に影響を及ぼし、およびフィルタリングするための、少なくとも１つのフィルタを有し、少なくとも１つのフィルタは、組み合わせて、UVC、UVB、UVA、青色光および赤外線の透過を選別し、交通、船および飛行のために適合されており、かつ交通のために適合させる目的で少なくとも赤、黄色、青、緑のカラー認識を有し、かつ対応する光透過度TVをもち、および以下の特徴を満たしたフィルタ特性と組み合わせて、総スペクトル特性（図4、5、6）を有する、装置：
UVC、UVB、UVAスペクトルは、完全に選別され、
光透過度TVは、8%〜43%の範囲であり、かつフィルタの色が茶色-オレンジ-緑または交通、船および飛行のために適合したその他の色であり、
加えて、青色光照射のための特別な青色光保護フィルタは、更に眼の軽減のために作用し、かつ380nm〜500nmの青色光スペクトルを98.2%まで、または99.6%まで、またはさらに99.6%以上まで選別し、
全赤外線範囲にわたって赤外線を選別する特別な赤外線保護フィルタは、通過する赤外線の30%以下の非加重平均値で、
計算において対応する赤外線の重み付けを考慮すると、赤外線の25%以下の平均値で、作用し、
赤外線通過の7%から、または0%までの平均値（図4、5、6）が透過され、したがって、赤外線が100%まで選別される。
【請求項２】
前記装置が前記保護範囲において基準よりも優れ、かつさらにそれらを満たし、かつカテゴリー0〜3にあるように、フィルタが選択されることを特徴とする、請求項1に記載の装置。
【請求項３】
特にデイレンズ（day lens）およびコンタクトレンズ、対物レンズ、対物レンズのためのレンズ、矯正眼鏡（correction glasses）、光学材料、望遠鏡および眼鏡、特に水泳ゴーグル、スキーゴーグル、余暇時間眼鏡、作業時間眼鏡および全ての種類のサングラスを包含することを特徴とする、前述の請求項のいずれか1項に記載の装置。
【請求項４】
ペインとして、特に車、トラック、オートバイ、飛行機コックピット、クレーン、船およびボートのフロントシールドとしての、またはアイピース、窓、窓ファサードまたはドアとして形成されることを特徴とする、請求項1〜2のいずれか1項に記載の装置。
【請求項５】
前記装置が複合物（=混合物）からなるか、またはホイルで被覆されていることを特徴とする、請求項4に記載の装置。
【請求項６】
これらのフィルタが、ポリ4,4-ジオキシジ-フェニル-2,2-プロパン、ポリメチルメタクリラート（polymethylemthacrylates）、ポリオールアリールカーボネートの共重合体、特にジエチエングリコールビスアリールカーボネートポリカーボネート（Diethyleneglycol bis Aly Carbonate Polycarbonat）、ポリエステル、プロピオン酸セルロース、酢酸セルロース、アクリルカーボネートおよび共重合体、ジエチレングリコールビスアリールカーボネート、酢酸ビニル、プロピオン酸セルロース、セルロースブチラート、ポリスチレンおよびメチルメタクリラート（methylemethacrylates）などのポリカーボネート、酢酸ビニルおよびアクリロニトリルおよびコポリマーおよびセルロースアセテートブリラート（cellulose acetateburyrates）などの光学的に透明な重合体有機材料などの材料からなることを特徴とする、前述の請求項のいずれか1項に記載の装置。
【請求項７】
光学的性質、特に光透過度、屈光特性、ジオプトリ調整、色設定、偏光またはデジタル拡大を変化するLCD技術に基づいた制御可能な配置を含む、前述の請求項のいずれか1項に記載の装置。
【請求項８】
照度を測定するための照度センサー／Luxセンサーを含み、かつLCD技術に基づいた配置のための制御装置を含み、配置の透過が照度に応じて変化して目に適応されるような方法で配置を制御する、請求項7に記載の装置。
【請求項９】
前記照度センサーおよび制御装置が、透過が1秒未満で変更されるように配置されることを特徴とする、請求項8に記載の装置。
【請求項１０】
前記センサーが紫外線および／または青色光および／またはIR照射を測定するために配置され、測定値を、特にLCDディスプレイを介して示すことができることを特徴とする、請求項7〜9いずれか1項に記載の装置。
【請求項１１】
センサーが配置され、これは特にサングラス、眼鏡に、またはその他の材料に、また眼鏡の外部に固定されており、コンピュータが測定されたセンサー値に基づいてLCDディスプレイに対してデータを作成することを特徴とする、前述の請求項のいずれか1項に記載の装置。
【請求項１２】
光センサーまたはLux検出器が光強度を検出し、かつ前記LCDディスプレイが、それぞれの人に対応する個々の光強度を、特に手動で、または自動的に、眼のために個々に調整することができるというような方法で制御可能であることを特徴とする、請求項11に記載の装置。
【請求項１３】
前記LCD技術に基づいた配置が、1秒の何分の1かで眼に到達し得る入射レーザー照射を、前記LCD技術により、数分の1秒で止めて、眼に到達することができないほど速く反応するように適応されることを特徴とする、請求項7〜12のいずれか1項に記載の装置。
【請求項１４】
前記LCD技術に基づいた配置が、フィルタの偏光を、特に要求に従って、オンまたはオフに切替えることができるように配置されることを特徴とする、請求項7〜13のいずれか1項に記載の装置。
【請求項１５】
前記LCD技術に基づいた配置が、複合物（=混合物）として、顆粒から共に溶解されるか、またはサンドイッチ法でホイルとして配置されるか、またはその他の材料と共に構築されることを特徴とする、請求項7〜14のいずれか1項に記載の装置。
【請求項１６】
サングラスの形態で、側方保護および異なる顔の形態に適合させるための調節可能な鼻基部部品（nose base piece）を含むことを特徴とする、前述の請求項のいずれか1項に記載の装置。
【請求項１７】
前記鼻基部部品が、眼鏡フレームの球形の部分を挿入可能である保持手段を含み、その結果フレームを鼻基部部品に関して、球によって異なる方向へ動かすことができ、したがって、頭部のサイズに適合することができることを特徴とする、請求項16に記載の装置。
【請求項１８】
前記球が、それらの表面上に、ラスタ形態の節どり形態（raster form
burling form）を有することができる構造を有することができること、並びに前記鼻基部部品が球が付着するカウンター部品／カウンター形態として形成されことを特徴とし、前記カウンター部品は、前記フレームと前記鼻基部部品の相互の位置を調節可能かつ固定可能であるように、節どり形態、丸く出っ張った形態またはその他の形態を有することができることを特徴とする、請求項17に記載の装置。
【請求項１９】
鼻翼部分または耳づるを有し、その材料は、ナノスケールの単一の接着毛をもつヤモリ足のような生物工学的技術で配置されるか、またはカエルと同様の寛骨臼に由来する特別な吸引特性を有し、かつ前記毛が微細であるほど接着力が高く、かつこれは、個々に調整することができることを特徴とする、眼鏡の形態の、前述の請求項のいずれか1項に記載の装置。
【請求項２０】
耳の領域の眼鏡の腕部分が全方向に柔軟に順応性があり、かつ調節可能であり、および特に、前記寛骨臼と同じ生物工学的技術で配置されることを特徴とする、請求項19に記載の装置。
【請求項２１】
明／暗スケーリングおよび屈光効果をもつ特別なフィルタ色をもつフィルタによって特徴づけられる、請求項１に記載の装置。
【請求項２２】
混合物として、または層で製造できる特別なフィルタ色およびフィルタ特性をもつフィルタによって特徴づけられる、請求項１に記載の装置。
【発明の詳細な説明】
【技術分野】
【０００１】
眼保護の増大のための多数の装置が、たとえばサングラスまたは着色窓ガラスなどの従来技術が知られている。
【背景技術】
【０００２】
全てのこれらの装置は、これらが日光およびその他の、非可視型の電磁照射線に対して、最適な保護をもたらさないという不利な点を有する。
【発明の概要】
【０００３】
従って、本発明によって解決される課題は、ヒト眼に対してより有利である装置を作製することである。この課題は、請求項1の特色を有する眼保護の増大のための装置により解決される。従属請求項2〜22は、さらに、都合よくデザインされた装置に関する。
【０００４】
本発明を、図面を用いて、以下に記述してある。
【０００５】
本発明による装置は、種々の例示的態様を使用して詳細に後で明らかにされる。
【０００６】
例示的態様を説明するために使用した図面を示す。
【図面の簡単な説明】
【０００７】
【図１】異なるサイズの鼻部ブリッジ支持体。
【図２】軟質材料を有するさらなる鼻部ブリッジ支持体。
【図３】さらなる、調節可能な鼻部ブリッジ支持体。
【図４】一対のサングラスのフィルタの第1の例示的態様の透過スペクトルの適用範囲の増大。
【図５】一対のサングラスのフィルタの第2の例示的態様の透過スペクトルの適用範囲の増大。
【図６】一対のサングラスのフィルタの第3の例示的態様の透過スペクトルの適用範囲の増大。
【図７】上、下、および横に発泡させた側方保護をもつ一対のサングラスの正面図。
【図８】一対のサングラスの側面図。
【図９】一対のサングラスの詳細図。
【図１０】一対のサングラスで上からの平面図
【図１１】フィルタの構築。
【図１２】一対のサングラスのさらなる態様の上からの平面図
【図１３】サングラスの耳づるの平面図。
【発明を実施するための形態】
【０００８】
UVC、UVB、UVA、青色光+赤外線からのより優れた保護をする眼保護の増大を得るために、我々は、全ての可能性のある適用分野のために、サングラスおよび眼鏡を開発した。標準では、形状について、およびさらに側方保護についての意見はほとんど何もない。
【０００９】
それぞれの顔の形状は、異なって構築されており、より優れた保護のためには、それそれ、調節可能な一対のサングラスまたは眼鏡が必要である。このために、今日では、側方保護の増大を何ら提供しない多くのサングラスが存在する。我々は、アフリカ人、アラブ人、アジア人、ヨーロッパ人、インド人、ラテンアメリカ系（中央および南アメリカ）、その他の顔の解剖学を慎重に研究して、我々が、我々のサングラスまたは眼鏡を調整することができ、かつさらに一定の部分を交換することができ、従って、顔の形状に至適に、かつよりよくこれらを適応することができるという結論に達した。その際に、我々は、顔の全周辺の側方保護部を最適化し、ギャップを減少させる。電磁放射をいうときに、我々は、mmで話すことはなく、むしろnmで話す。アイデアの中心は、フレームの部分であり、これは、我々がサングラスまたは眼鏡のための結合部の有無にかかわらず、鼻部支持部分=ブリッジとして使用する（図1-3）。これは、従来の鼻部品でなく、むしろメインフレームであり、我々は、鼻部品=鼻部分（図1-3）=鼻部パッド（図7番号1）=鼻部シェル（図7番号1）に対して、異なるサイズの鼻部支持部分を固定する。加えて、全ての我々のサングラスおよび眼鏡は、頭部の形状に従い、該手段により、我々は、最適かつより優れた側方保護を保証する。これをよりさらに促進するために、我々は、これらの重要な鼻部支持部分を必要とする。加えて、鼻部保護は、また、適所にフィットさせ、および固定することができる。次いで、この部分が、全ての鼻部を危険な紫外線およびその他の影響から保護する。この部分は、プラスチック、革、空気を通す材料または任意の所望の材料から作製することができ、鼻部品または鼻部支持部分またはフレームは、光起電力電池を備えることができる。また、測定プローブを、紫外線を測定して、およびデータを伝達するように装着することができる。我々は、ソーラーパネルにより、眼鏡に対する太陽エネルギーによって達成することができ、また電池または再充電可能な電池を使用して供給することができる自己電源提供する。
【００１０】
眼保護の増大を生じさせる第2の重要な要素は、フィルタである。長年の集中的な研究により、我々は、図4〜6からの、UVC、UVBおよびUVAだけでなく、青色光および赤外スペクトルをさらにカバーするための、EN 1836、CENおよびISO標準を越えて吸収する特別なフィルタを開発した。加えて、我々のフィルタは、赤、黄色、青および緑などの色、並びに透過率TVを考慮して、カラー認識標準に適合し、従って、交通に、船の上で、および飛行のために使用するために適合されている。我々の研究によれば、現在、全てのこれらの特徴を共に有し、かつ提供するフィルタはない。これが、我々がなぜこれらのフィルタの特許権を得るかの理由である。これらの技術は、たとえば全てのタイプの乗り物、車、トラック、送達バン、遮光板、飛行機、ヘリコプター、超軽量および計量飛行機コックピットおよび窓、窓ガラスおよび窓ファサード、船、ボートおよび建物、ドア、窓への種々の組み合わせにおいて、またはUVC、UVB、UVA、青色光が遮断されるべき多くのその他の考えられる適用において（図4-6）、組み込むことができ、これらは、請求項1において明らかである。これは、これらのフィルタタイプが必要とされ、使用する必要があり、および使用したいであろう全ての可能な領域に適用する。
【００１１】
その上、拡張可能な抗曇りシステムも重要である。発汗の増大を生じるハイパフォーマンススポーツまたは仕事のタイプについては、我々は、拡張可能である特別な抗ミスト技術を開発した。抗ミストコーティングは、フィルタ上に固定され、洗い流すことができない。拡張を達成するために、我々は、我々の特別な液体を添加する。これにより、さもなければ過飽和な、抗ミストフィルタの最適な分布を保証する。この添加物なしでは、抗ミストシステムは、数分でその限界に達するであろう。我々は、世界的に種々の抗曇りシステムを解析し、試験し、この閉じた領域で我々の特性を達成することができる今日使用されるサングラス、眼鏡または同様の製品はないという結論に達した。真の比較を行うことができるためには、我々は、同程度に閉じており、かつ気積が同じであるサングラス、スキーゴーグル、マスクまたは眼鏡を調べなければならない。フィルタの外側および内部の両方において、我々は、ロータス効果をもたらすことを望む。望ましくないさらなる効果は、フィルタまたはフレームに取り付けるべきではない。我々は、ここでは、ダスト、ほこり、グリース、沈着、油、その他を意図している。
【００１２】
LCD技術（LCD =液晶ディスプレイ）は、本発明に従った設計に組み込むことができる。LCD技術は、我々のフィルタと共に働き、または我々は、眼鏡キャリアのためにさらなる部分を組み込む。液晶技術は、我々の製品が、同じ眼保護を提供する従来のサングラス、眼鏡およびその他の材料と異なる、さらに適当な要素である。これらのLCD技術は、我々のサングラス、全ての他のタイプの眼鏡および考えられる材料にとって多くの望みがある。これらを使用することにより、我々は、重要な付加価値を生み出すことができ、眼補助の増大を提供することができる。次いで、LCD技術は、LCD、並びにヘッドホンを介した視覚的および聴覚的形態で再生することができる、屈光特性、偏光、並びにジオプタ順応および日付情報を想定する。この技術は、個々に、または共に、異なる層で適用することができる。上で命名した技術は、共になって、したがって新たな高品質の、独特の製品が出現するには重要である。LCD技術は、記述した側方保護を伴わずに、保護の増大およびサングラスの構築が存在しない場合は、ほとんど利益がない。LCDは、太陽エネルギー、再充電可能電池または外部電源で操作することができる。LCDには、眼鏡、サングラスおよび眼鏡フレームの外側、鼻部支持片（図3）、鼻部ホルダーに対して直接電力を供給することができる。また、この技術は、UVC、UVB、UVA、青色光およびIR =赤外線に対するこの保護フィルタと組み合わせて、種々の組み合わせで我々によって供給される接眼レンズ、窓、飛行機のコックピット、船、乗り物の窓、車、トラック、送達バン、窓、窓ファサードおよびその他のものにも使用することができる。フィルタは、UVC、UVB、UVA、青色光およびIR =赤外線に対して同じ保護機能を想定する。
【００１３】
眼保護の増大のための周知の装置の不利な点。今日では、多くのサングラスおよび眼鏡が十分とはいえない保護を提供し、または逆効果さえも生じる。一例として、矯正グレージングによるサングラスまたは眼鏡に言及することができ、これは、サングラスとして同時に使用することができ、輝度に従って暗くなる。フィルタの減光のため、瞳孔が開き、拡散する紫外線は、量が増大してレンズの内部および眼に達する。従って、我々は、明るさおよび暗さを伴って作用する自分自身の保護を回避する。22°を超える屈曲の矯正眼鏡は、歪みを受ける。したがって、側方保護は、ガラスでは可能ではない。いくつかの製造者は、革またはプラスチックでこの開放された部分をカバーすることを試みている。不利な点は、視野角が非常に減少するということである。従って、これでは、事故のリスクの増大を促進してしまう。
【００１４】
現時点では、顔の形状が異なることは、考慮されていない。これは、眼保護の増大および改善には不利益であり、これは、優れた側方保護によって改善することができる。これは、拡散する光の照射によって生じる。また、花粉およびダストは、より眼に影響を及ぼし、結果として炎症および傷害を生じ得る。
【００１５】
極めて少ない小型の、非常に軽量のサングラス、スキーゴーグル、パラグライディング、ハンググライディングまたはサーフィン眼鏡その他がある。これらは、大量のスペースおよび重量を必要とする。
【００１６】
基準EN 1836、CENまたはISOは、今日、380nmまでの保護のレベルを要求するだけであるが、これらによるコンプライアンスでは、100%のUV保護を要求し得る。眼科学および科学的な研究では、パイロット、屋外領域および2時間以上の間屋外にいる人のためなど、一定の領域では、請求項1に記述したようなUVC、UVB、UVA、青色光および赤外線に対する眼の保護の増大および保護フィルタを必要とすることが示されており、従って、これらは、交通に、船の上で、および飛行のために使用するためにさらに適している。有害な照射レベルは、Watt/cm2またはJoule/cm2で測定することができる。今日では、カテゴリー4のものであるフィルタが存在し、UVC、UVB、UVAおよび青色光のスペクトルをカバーする。これらは、あまりに暗く、したがって、交通に使用するために適していない。加えて、山領域では、強力な日ざしから、曇り、または嵐条件までの天気の変化があるときに、カテゴリー4のサングラス、スキーゴーグルまたは眼鏡は（基準EN 1836を参照されたい）、もはや十分な明視度を提供しない。従って、我々は、UVC、UVB、UVA、青色光および赤外線を組み合わせた拡張されたスペクトルをカバーし、かつカテゴリー2およびカテゴリー3においてさえこれを達成することが、我々にとって重要である。これに加えて、我々は、種々のフィルタ色およびカラー認識を考慮したものを開発した。
【００１７】
現在では、請求項1に記述したとおり、我々によって達成された値および特性をもち、およびしたがって国際規格に従ったカラー認識を含むUVC、UVB、UVA、青色光およびIRに対する保護を提供し；加えて、カテゴリー2またはカテゴリー3で交通に、船において、および飛行のために使用するために適したこのような技術的フィルタは、見いだされていない。今日存在するいくつかの材料は、青色フィルタを提供するが、交通に使用するためには、完全には承認されない。これらには、青色光またはカットフィルタを含む。黄色染料は、青色光を減少させるが、赤外線の範囲を増大させる。黄色染料は、青色光をのみを減少させることができるが、赤外線を減少させることができない。黄色染料は、赤外線の範囲の透過を増大させ、約45〜50%を超えて、または黄色およびオレンジフィルタの場合はさらに70%〜80%を超えて赤外線を通過させる。現在の最高水準の技術は、赤外線の増大を伴ったUV +青色光フィルタを含む。ここで使用される材料のいくつかは、たとえば、商標名LEXANの元で販売されるポリ4,4-ジオキシジ-フェニル-2,2-プロパンなどのポリカーボネート、商標名Plexiglasの元で販売されるポリメチルメタクリラート（polymethylemthacrylates）、CR-39の元で販売されるポリオールアリールカーボネートの共重合体、特にジエチレングリコールビスアクリルカーボネートポリカーボネート、ポリエステル、プロピオン酸セルロース、酢酸セルロース、アクリルカーボネートおよび共重合体、ジエチレングリコールビスアリールカーボネート、酢酸ビニル、プロピオン酸セルロース、セルロースブチラート、ポリスチレンおよびメチルメタクリラート（methylemethacrylates）、酢酸ビニルおよびアクリロニトリル、および共重合体および酢酸セルロースブチラート（buryrates）から製造される光学的に透明な重合体の有機材料、並びにLCD技術またはガラスおよび光学ガラスまたはレンズに使用されるその他の材料、および光学的透過率を有し、かつUVC、UVB、UVA、青色光およびIRを遮断するはずである全ての材料との組み合わせである。前述の全ての材料は、今後は、これらが我々の技術を備える場合、大きな利点に使用される。
【００１８】
請求項1と同様の記述であるUVC、UVB、UVA、青色光およびIR =赤外線に対するこの保護の組み合わせらは、窓においても、車、トラック、遮光板、飛行機コックピット、超軽量または軽量飛行機の窓ガラス、船、飛行機またはボートの窓ガラス、窓ファサード、窓、ドアまたは光学的透過率を有し、かつUVC、UVB、UVA、青色光およびIRを遮断するべきであるその他の製品においても現在見いだされない。我々の研究は、ほんの少数の例だけを名指しすると、エアバス、ボーイング、その他のタイプなど現代の飛行機は、390nmまでの紫外線を遮断する。超軽量飛行機などのその他の飛行機タイプでは、この値以下であることさえあり得る。これは、以下の不利な点を生じる、すなわちUVC、UVB、UVA、青色光およびIRを透過することができる光学的透過率を有する全ての製品および材料は、一定の強度および量で眼に歪みまたは損傷を生じさせ得るし、これらの適用のために、我々の技術を使用することができる。
【００１９】
眼科医によれば、青色光は、網膜に損傷を与え、加齢黄斑変性症（AMD）を引き起こし得る。赤外範囲では、現在眼損傷についてあまり知られていない。我々は、我々の請求項1にIRフィルタを慎重に組み込む。UV照射と比較してIR照射は、発癌性であり得るという指摘がある。
【００２０】
DNA損傷
パラグライダおよびハンググライダ、パイロット、種々のスポーツ、労働者および水面で、空中で、または屋外において働き、かつUVC、UVB、UVA、青色光およびIR照射の増大されたレベルに曝露され、かつ毎日彼ら自身の安全レベルを上回る人などの多くの標的群がある。
【００２１】
激しい発汗の増大の可能性がある一定の活動については、眼鏡が曇るリスクが生じ、着用者は、もはや何も見ることができない。従って、これは、事故のリスクの増大を生じる。我々は、スポーツ、労働および余暇活動の全ての可能性のあるタイプ、並びにこの保護が役立ち得るし、明視度を改善することができる製品に対処する。多くの製品、サングラス、スキーゴーグル、研究ゴーグルその他では、フィルタが一面に曇らないように、大きな換気路が組み込まれる。いくつかでは、電気換気装置さえも組み込む。これは、依存性を増大させる。スキー旅行に行く人々は、軽く、独立したものを望む。従って、機械的解決が提唱される。現在抗曇りシステムのこの拡張または組み合わせをもつ、世界市場でのサングラスまたは眼鏡はない。
【００２２】
また、我々は、ダストセーフティーゴーグルのために、この抗曇りシステムを適用することができる。多くのタイプの眼鏡および研究ゴーグルは、完全に閉じることができず、直ちに一面に曇り始める。それ故、開口部が換気のために提供され、これにより、再びダストが入ってしまう。それは、今日までに、製造業者が解決したことのない現実の問題である。従って、我々は、より優れた眼からダストを離して保持することを試み、そうでなければ眼に対してさらなるストレスになるであろう。
【００２３】
種々の窓ガラス、車で見いだされる窓、トラック、フロントガラスを持つオートバイ、全てのタイプの乗り物、船およびボート、飛行機、遮光板、その他は、現在まで、UV保護の増大は全くなかった。従来のペインまたは窓は、UVA、青色光および赤外線の一部を通したので、人々は、まさに危険な状態にさらされている。
【００２４】
LCD技術は、現在同じタイプの製品では不可能な機能を取り入れることができる。屈光効果は、１秒の何分の1未満で実施することができる。フィルタ、窓および窓ガラスは、ロールスクリーンまたはその他の軽い保護装置で遮光しなけれなければならない。それは、特定のLUX値を通させることができ、したがって、最適な明視度のために最も望ましい光量を眼に与える調節装置がなかったことを意味する。現在のタイプの屈光フィルタは、逆の結果および災害を招き、眼に対する負荷を増大する。これは、とりわけ側方保護のないサングラスおよび眼鏡の場合である。トンネル内にドライブする場合、フィルタまたは眼鏡は、これらをより明るくする前に数秒かかる。加えて、屈光効果は、時間とともに段階的に弱まる。
【００２５】
極度の紫外線に曝露される全ての人々は、太陽クリームによっても同程度にすることができない鼻部に対して、さらなる保護の増大が必要である。太陽クリームは、100%の紫外線を遮断しない。これを示すWHOによる種々の研究がある。この理由のため、我々は、我々の眼鏡システムに個々に付加すること、および適応することができる、物理的太陽保護=鼻部に対する太陽保護を開発した。紫外線が極値に達する多くの領域、スポーツのタイプおよび労働の分野があり、太陽保護の物理的手段は必須である。例証として、我々は、パラグライディングおよびハンググライディング、山または高山領域でのトレッキング、サーファ、労働者その他のいくつかの例のみを挙げる。
【００２６】
したがって、光透過率を示し、かつUVC、UVB、UVA、青色光およびIRを通す全ての製品、サングラス、眼鏡、レンズ、窓、窓ガラスおよび材料その他について、不利な点がある。
【００２７】
顔／人体計測の形状に適応できるサングラス
従って、これらの異なる特徴を組み合わせるための、解決法が存在する。本特性および技術の組み合わせは、応用分野に応じて異なり得る。一例として：乳児または赤ん坊は、増強された抗ミストシステムを必要とする可能性は低い。側方保護およびUVC、UVB、UVA、青色光およびIRに対するフィルタ保護の増大は、予防の領域では有用でり得る。汗をかくことが多い、スポーツ、余暇および労働分野では、抗ミストシステム、並びに拡張された抗ミストシステムの両方を有することが非常に重要である。LCDは、より高価な製品になってしまう可能性があり、誰でも必要であるというわけではなく、またはこれらを望むというわけではない。このために、我々は、種々の組み合わせで共に連結すること、または離すことができるモジュールのシステムを考えている。これは、我々が、我々の顧客の需要を満たす多数の可能性のある組み合わせおよび特性、並びに従って、出現する異なる新たな製品を有することを意味する。
【００２８】
我々は、柔軟である特別な結合部、備品または材料を有するサングラスおよび眼鏡のための特別なフレームを開発する。これらは、異なる固定されたサイズであることができ、または特別な結合部で異なる位置に移動することができ、したがって至適に異なる顔型に合わせることができる。これは、乳児から成人までの範囲であり得る。従って、結合部は、異なる頭部および鼻部サイズ、並びに顔の形状にそれ自体を至適に適応することができる。これは、図1-3の鼻部ブリッジ支持体の特別な構造によって達成することができる。さらに、細かい調整を、鼻部支持体（図7番号1）を使用してさらに適用することができる。本状況に従って、我々は、より大きな、またはより小さな鼻部ブリッジ支持体または結合部部品を使用する（図1-3）。結合部（図3）の有無にかかわらず、固定されたか（図1）または柔軟な材料（図2）のいずれを使用することもできる。異なるバリエーションでは、サングラスまたは眼鏡のタイプに応じて、それ自体の適用領域を有することができる。記憶効果を有することさえできる、柔軟な、または超柔軟な材料も、別の可能性がある。いくつかの材料は、加熱によって再構築することができ、したがって、さらに順応させることができる。フィルタに関してその他の調整の可能性があり、この場合我々は、もう一度詳細に顔型に至適に適応する種々のサイズで働くことができる。これは、顔の頬もしくは頬骨を有さない顔型またはその逆において行うことができる。従って、我々は、最適な調整を行うことができる。その理由は、紫外線の30%が水の上方の方向に、および雪ではさらにより集中的に、80%までが反映して戻され、従って、光線が開口部を介して眼に入る。図3の鼻部支持部分に対して、図9のようなもう一つの鼻部保護装置を、さらに、および個々に載置することができ、適所に固定することができる。そして、この部分が、全ての鼻部を危険な紫外線から保護する。この部分は、プラスチック、革、空気を通す抗菌性の材料、光起電力電池または任意のその他の所望の材料から、組み合わせて、でできていることができる。加えて、我々は、鼻部のためにこの太陽保護部分にソーラーパネルを装備することができ、そして、これは電源として役立つ。従って、我々は、不利な点を利点にしている。照射が非常に集中的な場合、我々は、保護を増大させて、ネガティブ領域をポジティブ領域に変化させ、そしてこれが高効率で、電気領域に電力を送達する。紫外線が極値に達するスポーツの多くの領域およびタイプがあり、太陽保護の物理的手段が必須である。UVインデックスを液晶ディスプレイ上の眼鏡に示すことも、想像することができる。我々は、サングラス、眼鏡、鼻支持体または外面にセンサーを取り付けることができ、種々の光線を測定し、次いで液晶画面にこれを伝える。（図12を参照されたい）。
【００２９】
保護フィルタの場合（全てのタイプのレンズを含む）、請求項1で見られるように、我々は、UVC、UVB、UVA、青色光およびIRの組み合わせを開発するために経営してきた。我々は、拡張されたスペクトルUVC、UVB、UVA、青色光およびIRを至適にカバーし、一方で標準に従ってカラー認識要求も満たすと共に、交通に、船の上で、および飛行のために使用するために適している種々のカーブを試験した。このためには、赤、黄色、青および緑の色、並びに透過率を考慮に入れなければならない。重要な点は、フィルタが暗すぎないということである。我々は、Cat. 2およびCat. 3から開始し、これにより、フィルタは、カテゴリー2〜カテゴリー3を移動することができる。ここでの唯一の懸念は、光透過率TV、すなわち可視日光である。我々は、光透過率TV
= LUX数を増大し、または減少させる。したがって、輝度は、屈光特性によって調節することができる。我々が、VC、UVB、UVA、青色光およびIRの危険なスペクトルを遮断することは重要である。交通における適合性のためには、フィルタがカテゴリー4に分類されてはならない。我々の目標は、暗すぎるフィルタを製造しないことである。我々が、我々のフィルタを明るくできる場合、および我々がUVC、UVB、UVA、青色光およびIRスペクトルを統合した場合、我々は、自己防衛を促進し、瞳孔はより小さくなり、それ自体を保護する。我々は、種々のフィルタタイプを開発したので、カーブを変更してもよい。UVC、UVB、UVA、青色光および赤外線の範囲をカバーする、特許される全てのものは、カラー認識に関して国際規格に従っており、交通に、船の上で、および飛行のために使用するために適している。カーブ、色および形状は、異なるように見え得るが、本フィルタは、前述の特徴を満たさなければならない。この技術は、以下などの、種々の材料で使用すること、および製造することができる：商標名LEXANの下で販売されるポリ4,4-ジオキシジ-フェニル-2,2-プロパン、商標名Plexiglasの下で販売されるポリメチルメタクリラート（polymethylemthacrylates）、CR-39の下で販売されるポリオールアリールカーボネートの共重合体、特にジエチレングリコールビスアリールカーボネートポリカーボネート、ポリエステル、プロピオン酸セルロース、酢酸セルロース、アクリルカーボネートおよび共重合体などのポリカーボネートから製造される光学的に透明な重合体有機材料、ジエチレングリコールビスアリールカーボネート、酢酸ビニル、プロピオン酸セルロース、セルロースブチラート、ポリスチレンおよびメチルメタクリラート（methylemethacrylates）、酢酸ビニルおよびアクリロニトリルおよび共重合体および酢酸セルロースブチラート（buryrates）、並びにLCD技術またはガラスおよび光学眼鏡もしくはUVC、UVB、UVA、青色光およびIRが通過することができる製品（およびこれらの材料に対して、または新たな材料に対して保護を適用することが望まれるとの組み合わせ）。
【００３０】
加えて、UVC、UVB、UVA、青色光およびIR =赤外線からのこの保護の増大は、自動車窓、トラック窓、ヘルメットバイザー、飛行機窓およびコックピット等の乗り物、窓、窓ガラス、並びに窓ファサード、船、ボートおよび建物またはこの保護を使用することができるその他の可能性のある適用に組み込むことができる。我々は、我々のフィルタ技術が、我々の請求項1に記載したように、色のために、並びに交通に、船に、および飛行のために使用するため適していることを忘れてはならない。従って、非常に多くのその他の可能性を、この技術を適用するために利用できる。従って、これは、保護の増大およびより優れた安全を生じる。
【００３１】
拡張可能な抗ミストシステム。ここで、我々は、固定された抗ミストシステムに対する液体を開発し、これは、フィルタ上に固定された抗ミストコーティングと組み合わせて、拡張することができる。我々の目標は、紫外線、青色光、赤外線、花粉、微細なダストその他が重要な役割を果たすが、そにもかかわらずが、優れた閉鎖を可能にし、かつより優れた視覚を提供する、封をした一対のサングラス、眼鏡、スキーゴーグル、研究ゴーグルまたはその他の考えられる眼鏡における、この抗ミスト技術の使用を可能にすることである。我々の液体は、分布の最適化を行って、したがって小滴の発生を防止し、更に、飽和時にて抗-曇りであり、これが、数分後に達成される。フィルタは、湿条件で液滴に適用され、全フィルタ領域にわたって至適に適用され、かつ分配される。我々にとって、我々が、特にこれらの適用のためにこの手段を適用し、および使用することを指摘することは非常に重要である。全てのタイプの散水およびほこりに曝露されるフィルタの外側について、我々の目的は、ハス花効果などのコーティングおよび機能を有することである。これは、ほこりおよび水スプレーその他がフィルタに付着しないことを意味する。（図6）。この方法により、我々は、水の滴も、ダストも、グリースも、油もその他の望ましくない沈着もまたはほこりのいずれも、サングラス、眼鏡またはその他の材料に付着しないことを保証する。また、我々は、フィルタの内部領域にもこれらの技術を使用することができる。我々は、サングラスフレーム、フィルタまたは眼鏡に対してロータス効果を採用する。
【００３２】
LCD技術。ここで、我々は、我々の眼鏡に種々のLCD技術を組み込み、我々のサングラスおよび眼鏡と組み合わせて、総知識を利用することを望む。これは、サングラスおよび眼鏡の後ろにある理論的根拠は、サングラス用の適合できる鼻部支持体に基づくことを意味し、これは、多くの顔の形状／人体計測に、続いて保護フィルタ増大および拡張された抗ミストシステムに適応することができる。次いで、我々は、LCD技術を我々の既存の技術に組み込む。これにより、我々は、新たな、独特の最高品質の製品を得る。LCD技術は、種々のレベルの形態で、サンドイッチ法で、および任意の順序で構築することができる。（図5）。また、複合物法=混合物法ですべてを共に構築することができる。これらの種々の技術は、我々にサングラス、レンズまたは眼鏡を更に拡張し、および完全に新たな機能を含めることができるという可能性を与え、これにより、新規かつ有用な最終材料および製品を共にもたらす。我々は、光起電力電池、再充電可能電池または通常の電池での電力の供給を保証するであろう。我々は、ポジティブ法で利用できる天然資源を使用し、および適用することができる場合を試す。
【００３３】
調節可能な、柔軟な、交換可能な鼻部ブリッジ支持体、並びに最適な適応可能なフィルタ形状）（これは、加えて、種々のサイズで適用することができる）を使用して、我々は、最適な側方保護をサングラスを製造することができ、提供することができる（図8-10）。これに対する補足は、UVC、UVB、UVA、青光+ IRのためのフィルタの保護の増大である（図4-6）。これは、サングラスまたは眼鏡における新たな次元を生み出す。フレームの鼻部品（図1-3）は、それ自体が多くの独特の顔型および形状に至適に適応することができる主要部である。従って、我々は、人体計測のより優れた理解を得るための努力をしている。フレームの鼻部品は、一方向に、または全ての可能な方向にしっかりと、しかしまた柔軟に、移動することができ、または必要に応じて固定することさえできる（図1-3番号0）。これにより、我々は、多くの非対称の頭部の寸法によりよく適応させることができる。球面形態で、または短山形（clip）で考えられるこれらの特性は（図13番号26-27）、サングラスおよび眼鏡の耳づるのためにも使用することができるという利点がある。種々の材料に対する種々の記憶効果が可能性であり、適用分野に応じて使用される。どの解決法を採用し、最高の結果を得られるかは、サングラスおよび眼鏡の構築に依存する。種々のサイズおよび高さ（それは、限定を有さない）の鼻部品が、顔型に応じて選択され、使用される。レンズまたはフィルタは、異なる垂直または水平のサイズを有することができ、フレームの有無にかかわらずフィットさせることができる。（図7番号6）これは、より優れた側方保護が得られることを意味する。フィルタは、顔のより下および上の領域で、並び側面で、顔の輪郭をなぞる。従って、我々は、最適な適応を実行することができる。加えて、鼻部ホルダーにより（図7番号1）、微細な調整を行うことができる。鼻部支持部分において、さらなる調節可能な鼻部保護体（図8番号8）を、加えて、取り付けることができ、種々のサイズに個々に適応することができる。そして、この部分が全ての鼻部を危険な紫外線から保護する。この部分は、プラスチック、革、空気を通す材料または任意の所望の材料でできていることができ、さらに光起電力電池（図8番号9）を備えることができる。したがって、攻撃的な照射を積極的に使用して、エネルギーに変換される。紫外線が極値に達するスポーツの多くの領域およびタイプがあり、太陽保護の物理的手段が必須である。これらの例は、パラグライディングおよびハンググライディング、山または高山領域での旅行、サーファ、労働者および高いまたは極限条件の紫外線に曝露される全ての人である。（推奨：UVインデックス4以上）。適所によりよくサングラスおよび眼鏡を保つことを、我々は推奨する。
【００３４】
保護フィルタの増大。図4〜6は、UVC、UVB、UVA、青色光およびIR=赤外線での、いくつかの可能性のある保護カーブを示す。我々の場合において、我々は、我々がカバーする全ての拡張されたスペクトルに興味がもたれ、それにもかかわらずEN 1836：CEN、ISOまたはその他の基準に準拠する。これらは、サングラス、眼鏡、レンズ；窓、窓ガラス、その他における適用を有し、これは、加えて、交通に、船の上で、および飛行のために使用するために適したままである。また、側面保護も組み込んだ。光学ガラスを、我々のフレームに付加することができ、またはLCD技術によって解決することができる。
【００３５】
我々は、種々の可能性のあるフィルタタイプ、フィルタ材料および色でこれらの保護フィルタを装備するであろうし：我々が使用するであろう可能性のある色は、無制限である。ほんの少数の例のみをここにあげる：1.茶色、2.オレンジ色、3.緑色（図4〜6）、我々は、要望通りの色を選択することができる。唯一の問題は、交通に、船の上で、および飛行のために使用するための適合性の特性をもつ、現在市場で入手不可能である全体的な防御因子=スペクトルおよび防御因子=スペクトルの増大である。基準1836、CEN、ISOまたはその他の基準に従ったカテゴリー2では、18〜43%の光透過率TVがカテゴリー2に適用され、一方で、カテゴリー3では、それは8〜18%である。8%未満である光透過率TVは、屈光特性を使用して得ることができ、その全体が、カラー認識および光透過率TVに悪影響を与えるであろうし、その結果、上により詳細に記載したように、本装置は、もはや交通に使用するために適していない。従って、交通使用のために適したままであることが必要な場合、光透過率TVは、8%〜43%の間にある。
【００３６】
車、トラック、遮光板、飛行機コックピット、船の窓ガラスおよびボートの乗り物の窓、並びに、一般的な窓、天窓および窓ファサード、ドア、眼鏡およびプラスチック眼鏡、その他などのその他の適用領域は、光、並びにUVC、UVB、UVA、青色光および赤外線を透過させる全ての材料と共に、この技術を備えることができ、より高い保護を提供することができる。そして、ガラス材料の黒化は、LCD技術によって実施することができる。これらは、これらの特性を必要とする新たな製品を製造するための複合物、フィルムまたはその他の材料として共に取り付けることができる。また、UVC、UVB、UVA、青色光および赤外線を遮断するレンズ、コンタクトレンズ、使い捨てレンズも、我々の特許によってカバーされる。ここには、我々のフィルタの例があり、これらは、指針のみとして考慮されるべきであり、カテゴリー=.cat.および色に従って変更することができる。TVD65=17.128%
、青色光（380〜500nm）=0.739%、透過スペクトル（500〜650nm）通過、赤シグナル=通過、黄色シグナル=通過；青シグナル=通過、緑シグナル=通過。加えて、赤外用フィルタも組み込まれる。我々の技術を伴うこれらのフィルタ、レンズ、窓、ペインおよび一般的な透明材料は、交通町域のために承認される（図4-6）。
【００３７】
拡張可能な抗ミストシステム、並びにダストおよび混入物の非接着。スポーツおよび労働分野について、我々は、抗ミストシステムの拡張を付加し、水小滴を防止するように働き、並びに出現する湿気の最適な分布を作りだし、およびより優れた明視度を保証する。これらの技術のため、我々は、非常に小さな眼鏡を製造することができる。この薬剤は、同時に、抗ミスト特性の拡張のためにも使用される洗浄剤として作用することができる。ミネラルおよび脂肪の沈着をリンスすることができ、流水およびこの薬剤で除去することができる。我々は、この特別な薬剤の非常に小さな液滴を摂取し、それを清潔かつ湿ったフィルタ上に一様に分布させる。そして、これにより、保護が統合され、かつ増大された、拡張可能なハイテク抗ミストコーティングを得る。散水およびほこりに曝露されるフィルタの外側に対しては、我々は、ハス花特性をもつコーティングを適用することができる。これを使用して、方法は、水、ダスト、脂肪、油、またはその他の望ましくない沈着のいずれの滴も、確実に眼鏡に固執しないようにする。また、我々は、フィルタの内部にこのハス花効果を使用すること、およびそれに抗ミストコーティングを備えることができる。
【００３８】
LCD技術。LCD解決法は、上述した機能が組み込まれる場合、サングラス、眼鏡、全てのタイプのレンズ、使い捨てレンズ、窓、窓ガラス、並びに光およびUVC、UVB、UVA、青色光および赤外線を透過させる材料に使用したときに、意味をなす。LCD技術は、種々の状況において眼を補助する。例として、我々は、数分の1秒で作用することができる屈光特性に言及する。より明るく、またはより暗くさせるフィルタ、眼鏡または人工物質の設定は（Luxは、誘導量照度（derived quantity illuminance）のSI単位である。その単位記号は、lxである。1lx = 1lm/m2）、手動で、自動的に、または両方ともで調整することもできる。1秒の何分の1かで眼に入ることができる入射レーザー照射では、LCD技術を必要とする。加えて、眼鏡レンズ厚=単一ジオプタの個々の設定、並びにデジタルズーム（=拡大）に適用する可能性も、LCDにより実装することができる。従って、対照を、より間近に見えるようにすることができる。LCD技術により、我々は、また偏光を得ることができる。コミュニケーションおよび可視化の新たな可能性を、LCD技術により、利用でき、これは、統合されたスクリーンとして、およびコミュニケーション、ナビゲーションまたは娯楽プラットフォームとして使用することができる。ナノテクノロジーにより、我々は、これをサングラス、スポーツまたは作業ゴーグル、および種々の矯正レンズをもつ全ての考えられるタイプの眼鏡に、並びに必要に応じて窓ガラスおよび窓に組み込むことができる。眼鏡が、コンピュータ、移動電話、オーディオおよびビデオ機能を行うことができるコミュニケーション製品になるというさらなる可能性がある。我々は、これらの特性を、再び請求項1から明らかであるUVC、UVB、UVA、青色光およびIR =赤外線に対する我々の保護と組み合わせて、並びに車、トラック、遮光板、飛行機コックピット、船およびボートの窓などの乗り物の窓、並びに窓、ドアおよびガラスまたはプラスチック、および光透過TVが可能で、かつUVC、UVB、UVA、青色光および赤外線を通し、かつ請求項1に与えた値などを観察する、全ての材料に、適用することができる。我々は、複合物として、顆粒として、またはサンドイッチ法のフィルムとしておよびその他の材料と共に連結させて、共にこれらのLCD技術を融合することができ。
【００３９】
LCD =液晶は、モジュラーシステムにおける新たな製品として提供される。LCD技術は、我々のフィルタ、並びに光透過率を有する材料または眼鏡に組み込むことができる。フィルタユニットの数は重要ではなく、更に順序が異なることができるし、異ならなければならない。これは、所望の特徴に依存する。これらは、眼鏡の型およびフィルタに従って適応することができる。また、真空領域においてこのフィルタ技術を使用して、共にこれらを構築する可能性が存在する。例えば、フィルタ、 LCD +真空+LCD、フィルタ、この場合順序および組成は、異なって構築することができる。
【００４０】
LCD技術の電源システムは、電池、再充電可能電池、ソーラーパネルまたは外部電源によって提供することができる。出力は、異なることができる。統合マイクロプロセッサを使用して温度モニタリングおよび総放電保護により、インテリジェント充電手段を使用することができる。さらなるソーラーモジュールを接続することができ、システム全体は、散水に耐性である。一定の領域において、電力の供給を保証するためには、USB、ファイアワイヤケーブル、ライターまたは電気接続が可能である。鼻部保護体（図8番号9）に、ソーラーパネルを載置することができる。サングラス、眼鏡フレームに対して、または衣類、帽子、建物、媒体、船、ボートその他に対して外部にの上のこのようなソーラーパネルを設置することも可能である。
【００４１】
本発明に従った装置は、それ自身の自己保護を上回り、かつそれを必要とする多くの人々、動物および植物に対して、眼保護領域における保護の増大を及ぼす。これは、遺伝的構造、並びに人の年齢増大、照射の強度、屋外で費やされる期間およびオゾン層を縮小などの環境の変化によって決定される。これらの制限を上回ったらすぐに、我々の製品を使用し始める。紫外線タイプUVC、UVB、UVA、青色光およびIRは、増大した、または過剰の用量では、危険であり得る。オゾン層のさらなる減少により、我々の眼は、保護の増大が必要であり、我々は、我々のフィルタにより提供することができる。サングラス、眼鏡およびレンズは、流行のアクセサリであるだけでなく、これらは、重要な機能および特徴を想定し、また果たさなければならず、これらは、長年の研究を介して証明され、それは危害の予防において使用者に多大な利点となり得る。太陽保護の領域がどれくらい重要かは、長年の経験から周知である。白内障、AMD =加齢黄斑変性症、その他などの眼疾では、予防および正確な製品により、我々は、疾患のリスクカーブを減少させることができる。AMD、並びに可能性のある原因の、種々の科学的および代表的な研究があり、青色光は、AMDの原因の1つである。これらの種々の特徴は、我々の製品において見いだされる技術の種々の組み合わせと共に、屋外のアリーナで使用して、保護の増大を提供することができる。全てのアイデアは、我々が顔の形状を考慮し、かつ全体のシステムをフィルタに至適に同調させた場合に、有用な目的および利点を有するだけである。眼鏡レンズまたはフィルタは、種々の垂直または水平のサイズおよび長さを有することができ、フレームの有無にかかわらずフィットさせることができる。（図9番号10）利点は、我々がフレームの有無にかかわらず、種々の顧客要望を考慮することができ、実装することができることである。この独特の組み合わせの全体のシステムは、調節可能な側方保護、我々の独特のフィルタリング（UVC、UVB、UVA、青色光および赤外線）を伴い、そしてこれらは、着色可能な、交通、船および飛行のために認定されており、製品の新たな次元を形成する。これらの新たな特徴および製品により、10年を超える研究、開発および経験が、光透過率TVを有するか、またはUVC、UVB、UVA、青色光およびIR=赤外線などのこれらの照射タイプの1つを透過し、かつさらなる保護を必要とする、これらのサングラス、眼鏡、全てのタイプのレンズ、コンタクトレンズ、使い捨てレンズ、並びに窓ガラス、窓およびその他の製品となった。
【００４２】
これに加えて、図12に図示したように、インテリジェント汗バリアおよび光ストッパーおよび緩衝器（図12、番号14+16）が、サングラスおよび眼鏡のために提供され、制御された空気ダイヤフラムまたは特別な材料を使用して、対照の衝撃に対して生じる圧力を吸収して、それを減少させて、圧力が多くの要因によって減少するような方法で残りを分布させる。空気の例を取り上げると、対圧が生じるときに、これは、空気を吸引することによって再び一杯になり、従って、次の衝撃の準備ができる。同じ過程は、空気、水またはその他の材料と組み合わせて、機能することもできる。さらなるバリエーションには、軟らかく、かつ衝撃で直ちに硬化し、特別な構造によって最適な方法で圧力を消失し、かつ分配する特殊構造をもつ特別な弾性の分子材料を含む。方法の組み合わせも考えられる。乳児のための作業アリーナや、たとえばサッカー、バレーボールまたは子供が屋外で遊ぶ学校もしくは幼稚園におけるPE指導などのスポーツ活動において、利点がある。この頭部および眼のショック保護の増大は、サングラスまたは眼鏡が現在着用されない適用の分野において、これが今後はより容易になる可能性があり、したがってますます使用されであろうだろうという利点がある。また、汗バリア、光ストッパーおよび緩衝器として作用するこれらの機能部分は、サングラスまたは眼鏡の対の全体に組み込むことができる。
【００４３】
鼻部支持部分図1〜3において、もう一つの鼻部保護体を、加えて、個々に取り付けることができ、適所に固定することができる。この部分は、全ての鼻部を危険なUV光線、UVC、UVB、UVA、青色光および赤外線から保護する。この鼻部部分は、プラスチック、革、空気を通す抗菌材料から、または任意のその他の所望の材料から、および種々の組み合わせで製造することができる。鼻部品の外側部分は、太陽電池でカバーすること、または被覆することができ、したがって、保護としてだけでなく、エネルギー生産機および供給元としても役立つ。この電流は、再充電可能電池に貯蔵することができ、これが、次にLCD技術のために積極的に使用される。紫外線が極値に達する、多くのスポーツのタイプ、作業の分野およびその他の領域があり、太陽からの物理的保護は、大きな利点がある。例として、我々は、パラグライディングおよびハンググライディング、山または高山領域でのトレッキングおよび旅行サーファ；労働者、ハングライダー乗り（kiting）、その他をあげる。これらの新たな技術および個々の部分の組み合わせにより、我々は、乳児期から成人期までの人の寿命にわたってより高い保護を提供する製品を得る。モジュラーシステムのため、貴方は、貴方の必要に従ってサングラス、眼鏡またはその他の製品を拡張することができる。これに加えて、多くの人々が老化するという事実があり、予防的処置に対するアプローチにおいて、我々は、我々の寿命にわたって危険なUVC、UVB、UVA、青色光および赤外線の分布を改善しなければならない。オゾン層の減少のため、照射の強度も増大している。したがって、このようなハイテクフィルタは、老年期に重要な貢献をして、生活の質を増大させることができる。AMDを治療する際に、眼科医は、今日、加齢黄斑変性症（AMD）に罹患している患者に満足な解決策を提供することが困難であることが分かる。従って、我々は、予防的処置に対して積極的な貢献を行うことができ、これらの防護措置および特性の使用、並びに組み合わせによって眼損傷の割合を減少させることができる。また、極所において実施され、および緊急にこのような保護が必要である多くタイプの職業がある。科学的データおよび実験に基づいて、我々は、多くの人々が毎日夏に彼らの安全限界を上回る影響を受け、老年いたときに、眼疾および皮膚病の形態で、彼らの将来の健康のために代償を払うことをよく知っている。
【００４４】
抗ミストシステムおよび抗ミスト系システムの拡張により、非常に小さな我々のサングラスおよび眼鏡を作製する可能性を我々に与える。従って、これらは、より軽く、かつより緻密になる。また、我々は、同じ構造では、これらは数秒または数分以内にすっかり曇ってしまうために、その他のサングラスおよび眼鏡では、今日行えない、非常に優れた封止を達成する。一例として、我々は、上部および底面にて非常に大きな換気溝を有する現代のスキーゴーグルに言及する。これは、換気にとって非常に重要である。紫外線が非常に強く、かつUVインデックスが極端なレベルに達する場所では、我々がデザインしたようなサングラスおよび眼鏡は、現実の予防および眼に対する軽減を提供する。また、我々は、ダストおよび花粉が高い領域、並びに産業領域のために、この技術を使用することができる。この封止は、不快な、並びに危険である、侵入因子から眼を軽減し、かつ予防的治処置において補助する。本製品は、洗浄剤として、および同時に、抗ミストシステムとしてフィルタに対して適用される。
【００４５】
全てのタイプの散水、油、グリース、ダストおよび汚染が生じるフィルタの外側に対して、超疎水物質重合体表面ナノテクノロジーのコーティングを、ハス花特性をもつ表面構造で、フィルタに対して永続的に適用した。これにより、水、ダスト、グリース、油またはその他の望ましくない沈着および混入物の滴が、サングラス、フィルタ、眼鏡、レンズ、ガラスまたは窓に対して収集せず、または付着しないという利点を生じる。従って、全ての製品は、自己洗浄性である。また、全体システムは、内側に使用することができ、したがって、汗の残り、ミネラル塩沈着、グリース、ダスト、サンクリーム沈着またはその他の望ましくない混入物を除去することができる。スポーツまたは一定の作業領域において、我々は、最適な方法でこの製品を使用することができる。ここでは、また、我々の目標は、言及した特徴の組み合わせである。これは、その全体が、今日この形態では利用できない新たな製品を生じさせる。
【００４６】
眼保護の増大は、固定され（図1）、記憶効果をもち（図2）または柔軟な（図3）、いずれかの調節可能な鼻基部部品（図1,2,3+7）によって、一対のサングラスまたは眼鏡の側方保護（図10）が眼および顔の周りの全てに及び、かつ適合できるフィルタ（図7番号6）が顔の形状=人体計測に提供され、および調節可能であることによって特徴づけられる。鼻基部部品は、これらが種々のサイズおよび形状を有することを特徴とする。これらは、加えて、フレームにおいて、または鼻基部部品（図1または図3）上に固定された球面形状によって特徴づけられ、種々の方向に移動することができる。加えて、一定の球は、これらが球上に一定の格子の形状を有することができることを特徴とし、この場合、対応物=カウンター形状が球になり、および隆起領域、ディンプルまたはその他の所望の特徴および形状を有することができる。これは、種々の位置を要望通りにセットし、および固定することができることを意味する。ヒンジ、鏃型フック（図13番号26+27）、ピボットネジ、スプリング、ネジ、またはこれらの組み合わせで特徴づけられるその他のアタッチメントの可能性を使用することができる。鼻基部部品は、加えて、電子機器、電池、再充電可能電池、太陽電池およびUV、青色光、IR、MP3、MP4などの種々のセンサーを、モジュラー形式で、または異なる組み合わせで、組み込むことができることで特徴づけられる（図3番号0-23）。
【００４７】
図4〜6のフィルタの眼保護の増大は、拡張された範囲のUVC、UVB、UVA、青色光および赤外線によって特徴づけられ、カラー認識のために適しており、交通における、船の上で、および飛行のために使用する。赤、黄色、青および緑などの色の認識が考慮され、したがって交通適合性および光透過率TVを満たすように、交通における、船の上の、および飛行のために適した使用が定義され；図4、5、6に示したように、これは、全てのスペクトルカーブにわたって明らかであり；光透過率TVは、8%〜43%で変化することができ、これは、請求項1に従って正確に記述されている。図4-6。これは、特許請求の範囲での保護の下で、同じ特性を有する全ての考えられる色をカバーする。フィルタは、カテゴリー2〜カテゴリー3の範囲の屈光性であることができ、上記にあげた特性を有することができる。従って、フィルタ製造のためのカラー制限がない。任意の望まれた色を製造することができる。交通における適合性のためのフィルタは、カテゴリー4に入ってはならず、反射よけ保護として、これらは、8%〜43%の間の光透過率TVがなおも可能であるはずである。我々の目的は、暗すぎるフィルタを製造しないことである。我々のフィルタは、これらがカテゴリー0-3の明るさであり、UVC、UVB、UVA、青色光およびIRスペクトルが統合されており、かつ瞳孔の減少を活性化する一体型の保護メカニズムであることを特徴とする。カーブは、意図的に範囲が定められるのではなく、様々であるに違いないが、これらは、UVC、UVB、UVA、青色光および赤外線の範囲をカバーし、かつカテゴリー0〜3内で変動することができる。これらがカテゴリー4に分類されるべきである場合、基準に従って、これらは、もはや交通に、船に、または飛行に使用するために適さないであろう。
【００４８】
従って、眼保護の増大は、光透過率TV、並びにUVC、UVB、UVA、青色光および赤外線を通過させる、さらなる製品に適用することができる。さらなる製品は、使い捨てレンズ、レンズ、対物レンズ、対象のためのレンズ、ジオプタ値をもつ矯正眼鏡、光学範囲における全ての考えられる材料、全てのタイプの眼鏡、水泳眼鏡、望遠鏡、スキーゴーグル、スポーツゴーグル、余暇の眼鏡、作業ゴーグル、並びに種々の領域において使用され、かつ同じまたは同様の特性を示すサングラスのタイプを含む全てのタイプのレンズで特徴づけられる。
【００４９】
眼保護のためのさらなる製品は、これらが車、トラック、モーターサイクル、飛行機コックピットの乗り物の窓ガラスおよび窓ガラス、クレーン、船およびボートの窓ガラス、遮光板、並びに窓、窓ファサード、ドア、一般的な眼鏡および人工眼鏡、並びに光透過が可能で、かつUVC、UVB、UVA、青色光および赤外線を透過する全ての材料などの適用領域に使用され、かつ同じ保護を必要とし、かつカラー認識のために適しており、交通に、船の上で、および飛行のために使用する、材料でできていることを特徴とする。これらの材料は、これによって特徴づけられ、また、これらが複合物、フィルム=種々の層またはその他の材料と共に連結して、種々の新たな製品を得ることができる請求個の範囲を生じる。
【００５０】
これらの技術と共に製造すること及び使用することができるその他の材料は、これらが、以下からの、光学的に透明な重合体有機材料を使用して製造されることを特徴とする：商標名LEXANの下で販売されるポリ4,4-ジオキシジ-フェニル-2,2-プロパン、商標名Plexiglasの下で販売されるポリメチルメタクリラート（polymethylemthacrylates）、CR-39の下で販売されるポリオールアリールカーボネートの共重合体、特にジエチレングリコールビスアリールカーボネートポリカーボネート、ポリエステル、プロピオン酸セルロース、酢酸セルロース、アクリルカーボネートおよび共重合体などのポリカーボネートから製造される光学的透明な重合体有機材料、ジエチレングリコールビスアリールカーボネート、酢酸ビニル、プロピオン酸セルロース、セルロースブチラート、ポリスチレンおよびメチルメタクリラート（methylemethacrylates）、酢酸ビニルおよびアクリロニトリルおよび共重合体および酢酸セルロースブチラート（buryrates）、並びにLCD技術または光学的透過率を有し、かつUVC、UVB、UVA、青色光およびIRを透過し、かつ我々のフィルタ技術で作製することが必要で、かつカラー認識のために適しており、かつ交通に、船の上で、および飛行のために使用するガラスおよび光学眼鏡または材料との組み合わせ。
【００５１】
眼保護=側方保護の増大が必要である場合のサングラスまたは眼鏡の入射側の額の上の光の透過が多い場合、サングラスおよび眼鏡のための、汗または光バリアおよび緩衝器の形態で（図12、番号14+16）、種々の組み合わせが可能性であるインテリジェントなさらなる保護部分によって特徴づけられる。さらなる額保護部分は、制御された空気ダイヤフラムまたは特別な材料が、それが特定の位置にて作用することができないような方法で、対象の衝撃に対して生じる圧力を吸収するように使用されて、それを減少させて、圧力の残りを分配することを特徴とする。この出来事の後に、膜または容器は、空気または液体（海、湖、川、その他）で再び一杯になる。この膜は、それが空気が入るだけで、任意の液体または湿気を入れないことを特徴とする。加えて、ダイヤフラムは、種々の気室容積が考えられる。これは、スポーツのタイプおよび睫毛の長さに応じて至適に適応することができることを特徴とする。従って、額保護部分は、再び次の衝撃のための準備ができている。さらなる主張は、汗バリア、光バリアおよび緩衝器の種々の変異形は、軟らかい、および衝撃で即時に硬化する特殊構造をもつ圧力を吸収する特別な弾性分子材料を備えること、並びに、至適に特別な構造を介して圧力を消失し、それが特定の位置に適用されないように、それをよりよく分配することを特徴とする。さらなる主張は、使用される材料が、空気を通して、抗菌で、耐水性によって特徴づけられること、並びにこれらがいくつかの異なる層のものから作り上げることから構成される。
【００５２】
図12番号16-14のこれらの汗バリアおよび光ストッパーおよび緩衝器は、これらがまた電子機器を備えることができ、サングラスおよび眼鏡への、およびからの接触および情報を伝達することができ、交換することができ、受けることができることを特徴とする。
【００５３】
したがって、任意の所望の機能を、動作に入れることができる。また、それが種々のフレームに組み込まれ、または眼鏡に対するさらなるフィッティングとして固定され、またはサングラス、眼鏡もしくはその他の材料に対して外部に固定されることを特徴とするインテリジェンスの可能性もある。さらなる主張が生じ、サングラスおよび眼鏡がレシーバを備え、かつ送信機（類）は、眼鏡に必ずしも取り付けられる必要があるわけではなく、外部に取り付けることができることを特徴とする。さらなる主張が生じ、汗バリア、光バリアおよび緩衝器は、これらがフレームに固定することができることを特徴とする。電子機器は、さらに、それが層形態で組み込まれ、IPS 44〜IP 67に準拠することもできることをも特徴とするであろう。従って、電子機器は、水および湿気に対してより優れた保護がなされる。
【００５４】
より優れた閉鎖により、フィルタの全体にわたる曇りの問題も増大し得る。これに対処するために、特別な抗ミストコーティングを作製したし、そのうえ拡張可能である。そのうえ、すでに固定された抗ミストコーティングを有するフィルタ表面上の小滴で湿った状態のフィルタ上に至適に適用され、および分配されることを特徴とする。本主張は、この液体は、それがフィルタ上で最適な分布および液滴発生、並びに白いコーティングの形成を行うことを特徴とし、明視度の減少を引き起こし、またはさらにそれを妨げることにある。加えて、液体の迅速な乾燥配合成分により、より優れた、およびより迅速に、フィルタ上の汗を乾燥させることができることを特徴とする。これらの特性のため、本発明による装置は、非常に小さな、かつ超軽量のサングラスおよび眼鏡を産生することができるという特性を有し、ダスト、風、花粉、煙およびその他の考えられる不快な粒子、並びに眼に入り得るし、これらに悪影響を与える得るほこり粒子に対して、より優れた封止を提供する。
【００５５】
より優れた閉鎖のために、ミネラル塩、グリース沈着、太陽クリーム、油およびその他の不快な混入物は、フィルタに付着し得る。また、フィルタの外側の部分において、これは、さらに急性であり得る。態様は、全てのタイプの散水、油、グリース、ダストおよび混入物が着するフィルタの外側に対して、超疎水物質重合体表面ナノテクノロジーのコーティングを、ハス花特性をもつ表面構造で、フィルタに対して永続的に適用することを特徴とする。これにより、水滴、ダスト、グリース、油またはその他の望ましくない沈着および混入物がサングラス、フィルタ、眼鏡、レンズ、ガラス、窓、ペイン、その他に対して収集せず、または付着しないという利点を生じる。さらなる主張は、全ての製品がこれらが自己洗浄であることを特徴とするという事実で構成される。従って、全体システムは、内側に使用することができ、したがって、汗の残り、ミネラル塩沈着、グリース、ダスト、サンクリーム沈着またはその他の望ましくない混入物を除去することができることを特徴とする。従って、この特徴は、発汗および労働が生じ、およびほこりが存在する至る所で使用されることを特徴とする。したがって、さらなる主張は、種々の組み合わせが、言及した特徴の、内部および外側で可能であることを特徴とする。その全体において、これは、今日この形態で利用不可能である新たな製品を生じさせる。
【００５６】
LCD技術は、これらがサングラス、眼鏡、窓、窓ガラス、矯正眼鏡、レンズ、コンタクトレンズおよび使い捨てレンズ、ガラス、光学眼鏡、または光透過可能で、かつ赤外線の有無にかかわらずUVC、UVB、UVA、青色光からなどの保護の増大が望まれるその他の材料と組み合わせて使用されることを特徴とし、これらは、製品に至ることができる。洗練のための、したがって、新たな製品を得えるため、さらなる付加価値の提供するための主張がなされる。本主張は、LUXセンサーによって1秒の何分の1未満で駆動して、より明るく、またはより暗くすることができる屈光特性を、全ての視覚のデータの伝達について示し、1秒の何分の1未満のレーザー保護、フィルタおよび眼鏡の連続した個々のジオプタ適応、並びにカラー設定および偏光可能性（スイッチを入れること、またはオフにすることができる）で構成される。また、望遠鏡を見て、または使用するときに、デジタル拡大も考えられ、これは、内部または外部の電子機器を介して調節可能であり得る。
【００５７】
エネルギーの供給は、それが電池、再充電可能でもある蓄電池を介して、（図12番号15または図3番号25）またはソーラーパネルを介して直接もしくは外部から供給することができる内部もしくは外部のエネルギーの供給によって、送達することができることを特徴とする。統合マイクロプロセッサを使用して温度モニタリングおよび総放電保護により、インテリジェント充電手段を使用することができる。さらなる主張は、ソーラーモジュールを接続することができ、かつIP44〜IPS67全体が保護されることを特徴とする。我々は、電気を使用するので、IP=国際保護に従って内部がダスト、湿気、散水または水に対して保護されているように、筐体を構築することが重要である。保護のタイプは、国際的に有効なコード（IP=国際保護）によって指定される。略語IPは、2つの数字が続く。第1の数字は、固体の注入に対する保護のために立っている。第2の数字は、水の透過に対する保護レベルを記述する。さらなる主張は、電力を供給を保証するために、USB、ファイアワイヤケーブル、ライターまたは電気通信が、一定の領域において可能であることを特徴とする。
【００５８】
図8番号9に従った鼻部保護体は、加えて、ソーラーパネルを取り付けることができることを特徴とする。さらなる主張が存在し、このようなソーラーパネルがまた、サングラス、眼鏡フレームに対して、または衣類、帽子、建物、媒体、船、ボートその他に対して外部に設置されることを特徴とする。インテリジェントコントロールにより、センサーが紫外線、青色光およびIRも測定することができ、およびLCDディスプレイにこれらを示すことを保証する。
【００５９】
さらなる態様は、またセンサーがサングラス、眼鏡に、またはその他の材料に、外部に固定することができることを特徴とする。コンピュータが計算し、処理し、および次いで液晶ディスプレイにデータを伝達する。Lux値検出器を使用して、眼のための最適な光強度は、個々に調整される。Lux値（lx. 1lx=1lm/m2）は、手動で、または自動的に調整することができるだろう。さらなる態様は、1秒の何分の1かで眼に入ることができる入射レーザー照射は、LCD技術によって1秒の何分の1かで止めることができ、眼に到達することができないことを特徴とする。
【００６０】
さらなる態様は、加えて、LCD技術のために、眼鏡レンズ強度の個々の設定=個々のジオプタが、デジタルズームを提供するための選択肢に加えて、得られることを特徴とする。対象を、要望通りより間近に見えるように作製することができる。
【００６１】
さらなる態様は、LCD技術により、要望通りに電源を入れ、または切ることができる、得られるフィルタの偏光が得ることができることを特徴とする。
【００６２】
さらなる態様は、スクリーンとして統合され、かつコミュニケーション、ナビゲーションまたは娯楽プラットフォームとして使用することができる、コミュニケーション、およびディスプレイの新たな可能性が、LCD技術により存在することを特徴とする。これは、ナノテクノロジーにより、サングラス、スポーツまたは作業ゴーグル、および種々の矯正レンズをもつ全ての考えられるタイプの眼鏡に、並びに必要に応じて窓ガラスおよび窓に組み込むことができる。
【００６３】
さらなる態様は、コンピュータ、移動電話、オーディオおよびビデオ機能を行うことができるコミュニケーション製品になるというさらなる可能性があることを特徴とする。
【００６４】
さらなる態様は、LCD技術を、ユニット=顆粒として、または任意のサンドイッチ法のフィルムの形態で共に融合し、かつ共にその他の材料に連結することができることを特徴とする。
【００６５】
さらなる態様は、LCD技術を新たな製品としてモジュラー形態で提供することができることを特徴とする。
【００６６】
さらなる態様は、フィルタユニットの数は重要ではなく、更に順序は、モジュラー様式で、および異なる方法で構築することができることを特徴とする。これは、所望の特徴および要求に依存する。
【００６７】
さらなる態様は、真空帯域でフィルタおよびフィルタ技術を使用する可能性、およびこれらを共に構築する可能性が存在することを特徴とする。実施例：フィルタ、LCD LCD +真空+、フィルタ。順序および複合物は、モジュラー様式で、および異なる方法で構築することができる。
【００６８】
微調整のためのさらなる態様を図7番号1にて示してあり、これに加えて、その上に置かれた鼻部支持体は、二次的特徴である。さらなる態様は、小さな、かつ快適な吸盤を備えることができる、非常に高度に粘着性の生物工学的技術をもつ鼻部パッドを示す。
【００６９】
さらなる態様は、全ての方向に柔軟かつ調節可能で、順応性があり、また必要に応じて、および望まれるなら、微細な吸盤と同じ非常に高度に粘着性の生物工学的技術を備えることができる、耳領域の眼鏡の腕フレームに関する。
【図１】
2010522356.tif 000003
【図２】
2010522356.tif 000004
【図３】
2010522356.tif 000005
【図４】
2010522356.tif 000006
【図５】
2010522356.tif 000007
【図６】
2010522356.tif 000008
【図７】
2010522356.tif 000009
【図８】
2010522356.tif 000010
【図９】
2010522356.tif 000011
【図１０】
2010522356.tif 000012
【図１１】
2010522356.tif 000013
【図１２】
2010522356.tif 000014
【図１３】
2010522356.tif 000015
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
特に、眼鏡、サングラスまたはペインとして眼保護を軽減し、および予防するための少なくとも１つのフィルタをもつ装置であって、該装置は、UV、青色光および赤外線に影響を及ぼし、およびフィルタリングするための少なくとも１つのフィルタを備え、該少なくとも１つのフィルタは、それらの組み合わせで定義される特定の限界値によって特徴づけられ、該少なくとも１つのフィルタは、組み合わせて、UVC、UVB、UVA、青色光および赤外線の透過を選別し、基準EN 1836に従って交通、船および飛行のために適合されており、かつ対応する光透過度TVをもち、および以下の、基準EN 1836に従って定義される特徴を満たしたフィルタ特性と組み合わせた、総スペクトル特性を有する、装置：
UVC、UVB、UVAスペクトルは、完全に選別され、
光透過度TVは、8%〜43%の範囲であり、
加えて、青色光照射のための特別な青色光保護フィルタは、更に眼の軽減のために作用し、かつ380nm〜500nmの青色光スペクトルを98.2%まで、または99.6%まで、またはさらに99.6%以上まで選別し、
全赤外線範囲にわたって赤外線を選別する特別な赤外線保護フィルタは、通過する赤外線の30%以下の非加重平均値で、
これは、基準EN 1836に従った赤外線の重み付けによって計算すると、赤外線の25%以下の平均値に対応し、
たとえば、通過する赤外線通過の7%から0%までの平均値である。
【請求項２】
前記装置が基準EN 1836、並びにCENおよびISO基準を満たし、、かつ基準EN 1836に従ってカテゴリー0〜3にあるように、前記少なくとも1つのフィルタが選択され、それらの組み合わせで定義される前記限界値は、保護範囲に関して前記基順よりも優れていることを特徴とする、請求項1に記載の装置。
【請求項３】
前記装置が、レンズ、特にデイレンズ（day lens）およびコンタクトレンズ、対物レンズ、対物レンズのためのレンズ、矯正眼鏡（correction glasses）、光学材料、望遠鏡および眼鏡、特に水泳ゴーグル、スキーゴーグル、余暇時間眼鏡、作業時間眼鏡および全ての種類のサングラスを含む群から要素を形成することを特徴とする、前述の請求項のいずれか1項に記載の装置。
【請求項４】
前記装置が、ペインとして、特に車、トラック、オートバイ、飛行機コックピット、クレーン、船およびボートのフロントシールドとしての、またはアイピース、窓、窓ファサードまたはドアとして形成されることを特徴とする、請求項1〜2のいずれか1項に記載の装置。
【請求項５】
前記装置が複合物（=複合材料）からなるか、またはホイルで被覆されていることを特徴とする、請求項4に記載の装置。
【請求項６】
前記少なくとも1つのフィルタが、ポリ4,4-ジオキシジ-フェニル-2,2-プロパン、ポリメチルメタクリラート（polymethylemthacrylates）、ポリオールアリールカーボネートの共重合体、特にジエチエングリコールビスアリールカーボネートポリカーボネート（Diethyleneglycol bis Aly Carbonate Polycarbonat）、ポリエステル、プロピオン酸セルロース、酢酸セルロース、アクリルカーボネートおよび共重合体、ジエチレングリコールビスアリールカーボネート、酢酸ビニル、プロピオン酸セルロース、セルロースブチラート、ポリスチレンおよびメチルメタクリラート（methylemethacrylates）などのポリカーボネート、酢酸ビニルおよびアクリロニトリルおよびコポリマーおよびセルロースアセテートブリラート（cellulose acetateburyrates）などの光学的に透明な重合体有機材料からなる群から選択される材料からなることを特徴とする、前述の請求項のいずれか1項に記載の装置。
【請求項７】
前記少なくとも1つのフィルタの光学的性質、特に光透過度、屈光特性、ジオプトリ調整、色設定、偏光またはデジタル拡大を変化するLCD技術に基づいた制御可能な配置を含む、前述の請求項のいずれか1項に記載の装置。
【請求項８】
照度を測定するための照度センサー／Luxセンサーを含み、かつLCD技術に基づいた配置のための制御装置を含み、配置の透過が照度に応じて変化して目に適応されるような方法で配置を制御する、請求項7に記載の装置。
【請求項９】
前記照度センサーおよび制御装置が、透過が1秒未満で変更されるように配置されることを特徴とする、請求項8に記載の装置。
【請求項１０】
前記センサーが紫外線および／または青色光および／またはIR照射を測定するために配置され、測定値を、特にLCDディスプレイを介して示すことができることを特徴とする、請求項7〜9いずれか1項に記載の装置。
【請求項１１】
前記装置が、センサー、コンピュータおよびLCDディスプレイを備え、前記コンピュータがセンサーによって測定されたセンサー値に基づいて前記LCDディスプレイに対してデータを作成することを特徴とする、前述の請求項のいずれか1項に記載の装置。
【請求項１２】
前記少なくとも1つのセンサーが、光強度を検出する光センサーまたはLux検出器であり、かつ前記LCDディスプレイが、それぞれの人に対応する個々の光強度を、特に手動で、または自動的に、眼のために個々に調整することができるというような方法で制御可能であることを特徴とする、請求項11に記載の装置。
【請求項１３】
前記LCD技術に基づいた配置が、1秒の何分の1かで眼に到達し得る入射レーザー照射を、前記LCD技術により、数分の1秒で止めて、眼に到達することができないほど速く反応するように適応されることを特徴とする、請求項7〜12のいずれか1項に記載の装置。
【請求項１４】
前記LCD技術に基づいた配置が、前記少なくとも1つのフィルタの偏光を、特に要求に従って、オンまたはオフに切替えることができるように配置されることを特徴とする、請求項7〜13のいずれか1項に記載の装置。
【請求項１５】
前記LCD技術に基づいた配置が、複合物（=複合材料）として、顆粒から共に溶解されるか、またはサンドイッチ法でホイルとして配置されるか、またはその他の材料と共に構築されることを特徴とする、請求項7〜14のいずれか1項に記載の装置。
【請求項１６】
サングラスの形態で、側方保護および異なる顔の形態に適合させるための調節可能な鼻基部部品（nose base piece）を含むことを特徴とする、前述の請求項のいずれか1項に記載の装置。
【請求項１７】
前記鼻基部部品が、眼鏡フレームの球形の部分を挿入可能である保持手段を含み、その結果フレームを鼻基部部品に関して、前記球形の部分によって異なる方向へ動かすことができ、したがって、頭部のサイズに適合することができることを特徴とする、請求項16に記載の装置。
【請求項１８】
前記球形の部分が、それらの表面上に、ラスタ形態の節どり形態（raster
form burling form）を有することができる構造を有することができること、並びに前記鼻基部部品が、球形の部分が付着するカウンター部品／カウンター形態として形成されことを特徴とし、前記カウンター部品は、前記フレームと前記鼻基部部品の相互の位置を調節可能かつ固定可能であるように、節どり形態、丸く出っ張った形態またはその他の形態を有することができることを特徴とする、請求項17に記載の装置。
【請求項１９】
前記眼鏡が、鼻翼部分または耳づるを有し、特別な吸引特性を有するその材料は、ヤモリ足のもののような生物工学的技術で配置され、ナノスケールの単一の接着毛により、またはカエルと同様の寛骨臼により、前記接着力を個々に調整することができることを特徴とする、眼鏡の形態の、前述の請求項のいずれか1項に記載の装置。
【請求項２０】
耳の領域の眼鏡の腕部分が全方向に柔軟に順応性があり、かつ調節可能であり、および特に、前記寛骨臼と同じ生物工学的技術で配置されることを特徴とする、請求項19に記載の装置。
【請求項２１】
明／暗スケーリングおよび屈光効果をもつ特別なフィルタ色をもつフィルタによって特徴づけられる、請求項１に記載の装置。
【請求項２２】
混合物として、または層で製造できる特別なフィルタ色およびフィルタ特性をもつフィルタによって特徴づけられる、請求項１に記載の装置。
【請求項２３】
基準EN 1836に従った以下の特性、並びにその中で定義され量および測定項目を有する、眼保護のためのフィルタ：
a)前記フィルタは、交通のために定揮毫している：
b)前記フィルタは、UVC、UVBおよびUVAスペクトルを100%まで選別する：
c)前記フィルタの光透過度Tvは、8%〜43%の範囲である：
d)前記フィルタは、380nm〜500nmの青色光スペクトルを少なくとも98.2%まで、典型的には少なくとも99.6%まで選別する：
e)前記フィルタは、非加重平均値に関して、25%未満の加重平均値に対応する、赤外線の30%未満を通すように、赤外線を選別する。
【国際調査報告】
2010522356.tif 000016
2010522356.tif 000017
2010522356.tif 000018
2010522356.tif 000019
2010522356.tif 000020
2010522356.tif 000021
2010522356.tif 000022
2010522356.tif 000023
2010522356.tif 000024
2010522356.tif 000025